(57)【要約】【課題】ミラーが未設置の場所でも、使用者が自分の髭そりの状態を視認しながら、剃り残しなく髭を剃れる電動シェーバを提供する。【解決手段】  電動シェーバ１０のシェーバ本体１１にミラー１８を設けた。これにより、髭剃り時、使用者は、例えば屋外やビルのロビーなど、据え付けのミラーがない場所でも、シェーバ本体１１のミラー１８を利用し、自分の髭そりの状況を視認しながら髭を剃ることができる。その結果、ミラー１８が未設置の場所でも、剃り残しなく髭を剃ることができる。【選択図】図１
2005131192.tif 000002
【特許請求の範囲】
【請求項１】
ケーシング形状を有したシェーバ本体と、
該シェーバ本体の先部に設けられ、多数の髭孔が形成された髭剃り用の外刃と、
該外刃の内側空間に移動自在に配置された内刃と、
前記シェーバ本体に収納され、前記内刃を移動させる電動モータと、
前記シェーバ本体に収納された電源と、
前記シェーバ本体に設けられた作動スイッチとを備えた電動シェーバにおいて、
前記シェーバ本体に、使用者が自分の髭剃り状態を視認可能なミラーを設けた電動シェ
ーバ。
【請求項２】
前記ミラーは、開鏡時、その鏡面が外刃側に向くように、前記シェーバ本体に開閉自在
に設けられた請求項１に記載の電動シェーバ。
【発明の詳細な説明】
【技術分野】
【０００１】
この発明は、電動シェーバ、詳しくはミラーが未設置の場所でも、使用者が自分の髭そりの状態を視認しながら髭を剃れる電動シェーバに関する。
【背景技術】
【０００２】
従来、電動シェーバとして、例えば特許文献１のようなものが知られている。
特許文献１の電動シェーバは、シェーバ本体と、シェーバ本体の先端部に設けられ、多数の髭孔を有する側面視してアーチ形状の外刃と、外刃の内側に揺動自在に設けられる内刃と、シェーバ本体内に設けられ、内刃をシェーバ本体の幅方向に高速で振動させる電動モータと、シェーバ本体に収納されたバッテリと、シェーバ本体の表面に設けられた作動スイッチとを備えている。
髭剃り時には、使用者がシェーバ本体を握り、作動スイッチを入れて髭が生えた頬や顎に外刃をあてがう。これにより、頬などの髭は多数の髭孔から外刃の内部空間に侵入する。この侵入と略同時に、各髭は対応する髭孔のエッジと、電動モータにより振動中の内刃のエッジとの間で切断される。
【０００３】
しかしながら、特許文献１の電動シェーバでは、例えば屋外やビルのロビーなど、ミラーが設置されていない場所で髭を剃ろうとすると、使用者は、自分の目で髭剃り状況を視認しながら剃ることができなかった。そのため、頬や顎などに部分的な剃り残しが発生していた。
【０００４】
【特許文献１】特開２０００−１５７７５７号公報
【発明の開示】
【発明が解決しようとする課題】
【０００５】
この発明は、上記問題点に鑑みなされたもので、ミラーが未設置の場所でも、使用者が自分の髭そりの状態を視認しながら、剃り残しを発生させることなく、髭を剃ることができる電動シェーバを提供することを目的としている。
また、この発明は、ミラー付きの電動シェーバであっても、携帯性はミラー無しのものと略同様の電動シェーバを提供することを目的としている。
【課題を解決するための手段】
【０００６】
請求項１に記載の発明は、ケーシング形状を有したシェーバ本体と、該シェーバ本体の先部に設けられ、多数の髭孔が形成された髭剃り用の外刃と、該外刃の内側空間に移動自在に配置された内刃と、前記シェーバ本体に収納され、前記内刃を移動させる電動モータと、前記シェーバ本体に収納された電源と、前記シェーバ本体に設けられた作動スイッチとを備えた電動シェーバにおいて、前記シェーバ本体に、使用者が自分の髭剃り状態を視認可能なミラーを設けた電動シェーバである。
【０００７】
請求項１に記載の発明によれば、シェーバ本体にミラーを設けたので、髭剃り時、使用者はミラーが未設置の場所でも、使用者は、シェーバ本体のミラーを利用して自分の髭そりの状態を視認しながら、剃り残し部分を発生させることなく髭を剃ることができる。
【０００８】
電動シェーバの構造は限定されない。例えば、外刃の内側空間において、内刃を振動（往復動）させるタイプでもよいし、内刃を回転させるタイプでもよい。
シェーバ本体の素材、形状、大きさは限定されない。
電源としては、例えば充電可能なバッテリ（充電式電池を含む）、充電には不適な電池でもよい。
作動スイッチの構造は限定されない。例えばスライド式でもよいし、押しボタン式でもよい。
【０００９】
ミラーの素材としては、裏面に銀が沈着されたガラス、各種の金属を採用することができる。ミラーが金属製の場合、片面が鏡面仕上げされた金属板が使用される。
ミラーの形状、大きさは限定されない。例えば三角形、四角形以上の多角形、円形、楕円形などを採用することができる。その他、任意形状のミラーでもよい。
ミラーの設置枚数は限定されない。１枚でもよいし、複数枚でもよい。
ミラーのシェーバ本体への設置位置も限定されない。例えば、シェーバ本体の表面に設けてもよいし、シェーバ本体の裏面に設けてもよい。さらには、シェーバ本体の表裏両面にそれぞれ設けてもよい。その他、シェーバ本体の側面（縁面）でもよい。
【００１０】
シェーバ本体に対するミラーの鏡面の向きは限定されない。例えば、外刃方向に向いてもよいし、その反対側に向いてもよい。さらには、シェーバ本体の側部方向に向いてもよい。
ミラーは、シェーバ本体に対して固定状態で設けてもよい。また、ミラーを回転自在に設けてもよいし、任意方向にスライド自在に設けてもよい。
【００１１】
請求項２に記載の発明は、前記ミラーは、開鏡時、その鏡面が外刃側に向くように、前記シェーバ本体に開閉自在に設けられた請求項１に記載の電動シェーバである。
【００１２】
請求項２に記載の発明によれば、ミラーをシェーバ本体に開閉自在に設けたので、ミラーの不使用時、ミラーを閉鏡してシェーバ本体に一体化させることができる。その結果、ミラー付きの電動シェーバであっても、携帯性はミラー無しのものと略同様で低下しない
。
シェーバ本体にミラーを開閉自在に設ける構造は限定されない。例えば、ヒンジ（樹脂ヒンジを含む）を用いて、例えば、自動車室内のサンバイザーのような、ミラーをシェーバ本体に開閉自在としてもよい。
【発明の効果】
【００１３】
請求項１に記載の発明によれば、シェーバ本体にミラーを設けたので、髭剃り時、使用者はミラーが未設置の場所でも、シェーバ本体のミラーを利用して自分の髭そりの状況を視認しながら、剃り残しなく髭を剃ることができる。
【００１４】
請求項２に記載の発明によれば、ミラーをシェーバ本体に開閉自在に設けたので、ミラーの不使用時にはミラーを閉鏡し、シェーバ本体とミラーとを一体化させることができる。これにより、ミラー付きの電動シェーバであっても、これをポケットやバッグに入れた際にミラーが邪魔になって、電動シェーバの携帯性が低下するといったおそれがない。
【発明を実施するための最良の形態】
【００１５】
以下、この発明の実施例を図面を参照して説明する。
【実施例１】
【００１６】
図１および図２において、１０はこの発明の実施例１に係る電動シェーバで、この電動シェーバ１０は、ケーシング形状のシェーバ本体１１と、シェーバ本体１１の先部に設けられ、多数の髭孔１２ａが形成された髭剃り用の外刃１２と、外刃１２の内側空間に移動自在に配置された内刃１３と、シェーバ本体１１に収納され、内刃１３を移動させる電動モータ１４と、シェーバ本体１１に収納されたバッテリ（電源）１５と、シェーバ本体１１に設けられた作動スイッチ１６とを備えている。以下、各構成部品を詳細に説明する。
【００１７】
シェーバ本体１１は、縦長な正面視して矩形状を有するプラスチック製のケーシングで、その先端側の開口部に側面視してアーチ形状を有した外刃１２が装着されている。内刃１３は、側面視した外観が外刃１２と相似形状を有している。内刃１３は、シェーバ本体１１の幅方向に向かって所定ピッチで並列された多数枚の部分内刃１３ａを有している。
電動モータ１４は、シェーバ本体１１の先部内に収納され、シェーバ本体１１の幅方向に延びる図示しない門型の固定子の中央部にばね付勢された振動子を、振動子の軸線方向に振動させるモータである。内刃１３は、振動子の中間部に短尺な連結ピン１４ａにより連結されている。
バッテリ１５は、シェーバ本体１１の元部から中央部にかけて収納されている。シェーバ本体１１の元部側の開口部は、蓋体１７により開閉自在に塞がれている。バッテリ１５交換時には、元部側の開口部から蓋体１７を外す。
作動スイッチ１６は、シェーバ本体１１の表面の中央部から元部付近に、シェーバ本体１１の長さ方向にスライド自在に設けられている。
【００１８】
この発明の特徴は、シェーバ本体１１に、使用者が自分の髭剃り状態を視認可能なミラー１８を開閉自在に設けた点である。
ミラー１８は矩形状のガラス板で、裏面に銀が沈着されている。ミラー１８の元部は、シェーバ本体１１の長さ方向の中間部の表面に、ヒンジ１９を介して、シェーバ本体１１の長さ方向に直交する面内で起伏自在（９０度回動自在）に設けられている。シェーバ本体１１の表面のヒンジ１９の近傍には、起立状態のミラー１８の開蓋ストッパ２０が突設されている。また、シェーバ本体１１の表面の先端部には、伏せた状態のミラー１８の先端部の閉蓋ストッパ２１が突設されている。したがって、ミラー１８は、開鏡時に起立され、その鏡面が外刃１２側に向くように、シェーバ本体１１に設けられている。
【００１９】
次に、実施例１の電動シェーバの動作を説明する。
髭剃り時には、まず、使用者が一方の手でシェーバ本体１１を握り、他方の手の指により、ミラー１８を閉蓋ストッパ２１による掛止状態から解除する。その後、ミラー１８をヒンジ１９を中心にして回動し、起立させる。この起立状態は、開蓋ストッパ２０によりミラー１８の元部がその背後から支持されることで保持される。
次に、指先で作動スイッチ１６をシェーバ本体１１の長さ方向にスライドさせ、スイッチを入れる。これにより、バッテリ１５から電動モータ１４に電流が流れ、電動モータ１４が駆動して外刃１２の内部空間において、内刃１３がシェーバ本体１１の幅方向に向かって高速振動する。
【００２０】
それから、この状態を維持し、外刃１２を例えば顎にあてがう。これにより、顎の髭は多数の髭孔１２ａから外刃１２の内部空間に侵入する。このとき、侵入した髭は対応する髭孔１２ａのエッジと振動中の内刃１３のエッジとの間でせん断力が作用し、切断される。
髭剃りの状況は、常時、ミラー１８を通して、使用者が自分の目で視認することができる。その結果、使用者はミラー１８が未設置の場所でも、剃り残しなく髭を剃ることができる。
また、ミラー１８をシェーバ本体１１に開閉自在に設けたので、ミラー１８の不使用時、ミラー１８を閉鏡してシェーバ本体１１に一体化させることができる。その結果、ミラー１８付きの電動シェーバであっても、携帯性はミラー１８無しのものと略同様で低下しない。
【産業上の利用可能性】
【００２１】
本発明の電動シェーバは、使用者が自分の髭剃り状態を視認可能なミラーが取りつけられているので、ミラーが未設置の通常の室内のみならず、ミラーが使用できない屋外などでも手軽に使え、特に携帯用シェーバとして有用である。
【図面の簡単な説明】
【００２２】
【図１】この発明の実施例１に係る電動シェーバの使用状態の斜視図である。
【図２】この発明の実施例１に係る電動シェーバの長さ方向と平行な面に沿って切断した断面図である。
【符号の説明】
【００２３】
１０  電動シェーバ
１１  シェーバ本体
１２ａ  髭孔
１２  外刃
１３  内刃
１４  電動モータ
１５  バッテリ（電源）
１６  作動スイッチ
１８  ミラー
【図１】
2005131192.tif 000003
【図２】
2005131192.tif 000004